(57)【要約】【課題】気密性を確保することができるとともに障子の開閉動作を良好なものとすることができ、メンテナンス作業を良好なものとすることができる建具を提供すること。【解決手段】基枠１０の上枠部材１１と下枠部材１２とを連結して開口部１０ａを構成する方立２０と、戸車３１１が上枠部材１１に配設された上レール１１１に載置することで吊り下げられ、かつ進入溝３２１に下枠部材１２に配設された下レール４０が進入した状態で戸車３１１が上レール１１１を転動することにより基枠１０に対してスライドする障子３０とを備えた建具において、下レール４０を構成する第１下レール４１は、沓摺部材４４を装着するためのアタッチメント部材４３に一体的に形成され、かつアタッチメント部材４３が下枠部材１２に取り付けられることで下枠部材１２に配設されており、アタッチメント部材４３は、障子３０の下端部の室内側面に摺接する気密材４５を備えている。【選択図】図３
2013028993.tif 000002
【特許請求の範囲】
【請求項１】
上枠部材、下枠部材及び一対の縦枠部材を四周枠組みして構成した基枠と、
前記上枠部材と前記下枠部材とを連結するよう配設され、かつ該上枠部材の一部、該下枠部材の一部及び一方の縦枠部材とともに矩形状の開口部を構成する方立と、
上端部に設けた戸車が前記上枠部材に配設された上レールに載置することで吊り下げられ、かつ下端部に設けた進入溝に前記下枠部材に配設された下レールが進入した状態で前記戸車が前記上レールを転動することにより前記基枠に対して開閉移動するようスライドし、閉移動する場合に前記開口部を閉塞する障子と
を備えた建具において、
前記下レールのうち前記開口部に対応する部位は、沓摺部材を装着するためのアタッチメント部材に一体的に形成され、かつ該アタッチメント部材が前記下枠部材に取り付けられることで該下枠部材に配設されており、
前記アタッチメント部材は、前記障子の下端部の室内側面に摺接する気密材を備えたことを特徴とする建具。
【請求項２】
前記アタッチメント部材は、締結部材により前記下枠部材に固定してあることを特徴とする請求項１に記載の建具。
【発明の詳細な説明】
【技術分野】
【０００１】
本発明は、建具に関し、より詳細には、例えば玄関等に障子を開閉可能に支持させた引戸に関するものである。
【背景技術】
【０００２】
従来、例えば玄関に設置された引戸のような建具においては、基枠と障子とが備えられている。基枠は、上枠部材、下枠部材及び一対の縦枠部材を四周枠組みすることによって構成されるものである。
【０００３】
障子は、上端部に設けられた上戸車が上枠部材に配設された上レールに載置することで吊り下げられており、下端部に設けられた下戸車も下枠部材に配設された下レールに載置している。このような障子は、上戸車が上レールを転動し、かつ下戸車が下レールを転動することで基枠に対してスライド可能となっている。また障子の下端部には、見付け方向全体に亘って下方に向けて突出するゴム製の気密材が設けられており、かかる気密材が下枠部材に摺接することで、該障子と下枠部材との気密性を確保している。
【０００４】
そして、かかる障子においては、下端部が上下方向に沿って移動可能であってバネ部材によって下方に向けて付勢されることで、下枠部材に対する当接圧を略一定にした建具が提案されている。かかる建具においては、施工誤差等により障子と下枠部材との隙間の大きさが変わっても、バネ部材の付勢力により気密材を下枠部材に摺接させて気密性を確保するようにしている（例えば、特許文献１参照）。
【先行技術文献】
【特許文献】
【０００５】
【特許文献１】特開２００５−７６３５８号公報
【発明の概要】
【発明が解決しようとする課題】
【０００６】
ところが、上述した特許文献１に提案されているような建具では、バネ部材の付勢力により気密材を下枠部材に摺接するようにしていたために、バネ部材が経年劣化により付勢力が弱まると気密材と下枠部材との接触が十分なものとならず、気密性を確保することが困難となることがある。またバネ部材の付勢力が過大なものとなると気密材が下枠部材に干渉する結果、障子の開閉動作に不具合が生ずる虞れがあった。また、上吊引戸の障子の上下方向の調整は困難であるため、障子と下枠部材との間の障子下端部に気密材を設けたのでは気密材と下枠部材との摺接量を一定にすることが困難であり、気密材が消耗しやすいといった欠点がある。そのため、気密材が損傷した場合、障子を取り外して気密材を交換しなければならず、非常に手間がかかりメンテナンス作業が煩雑なものとなる。
【０００７】
本発明は、上記実情に鑑みて、気密性を確保することができるとともに障子の開閉動作を良好なものとすることができ、メンテナンス作業を良好なものとすることができる建具を提供することを目的とする。
【課題を解決するための手段】
【０００８】
上記目的を達成するために、本発明の請求項１に係る建具は、上枠部材、下枠部材及び一対の縦枠部材を四周枠組みして構成した基枠と、前記上枠部材と前記下枠部材とを連結するよう配設され、かつ該上枠部材の一部、該下枠部材の一部及び一方の縦枠部材とともに矩形状の開口部を構成する方立と、上端部に設けた戸車が前記上枠部材に配設された上レールに載置することで吊り下げられ、かつ下端部に設けた進入溝に前記下枠部材に配設された下レールが進入した状態で前記戸車が前記上レールを転動することにより前記基枠に対して開閉移動するようスライドし、閉移動する場合に前記開口部を閉塞する障子とを備えた建具において、前記下レールのうち前記開口部に対応する部位は、沓摺部材を装着するためのアタッチメント部材に一体的に形成され、かつ該アタッチメント部材が前記下枠部材に取り付けられることで該下枠部材に配設されており、前記アタッチメント部材は、前記障子の下端部の室内側面に摺接する気密材を備えたことを特徴とする。
【０００９】
このように下レールのうち開口部に対応する部位がアタッチメント部材に一体的に形成され、かつ気密材が上記アタッチメント部材に取り付けてあるので、下レールのうち開口部に対応する部位と気密材との設置寸法精度を十分に高いものとすることができる。そして、下レールは、障子の進入溝に進入するので、基枠に対してスライドする障子が室内外方向に沿って変位する変位量を十分に規制することができる。これにより気密材が障子の下端部の室内側面から離間したり、室内側面に過大に押圧することがない。しかも、アタッチメント部材を交換するだけで気密材も交換することができ、気密材のメンテナンス作業を容易なものとすることができる。
【００１０】
また、本発明の請求項２に係る建具は、上述した請求項１において、前記アタッチメント部材は、締結部材により前記下枠部材に固定してあることを特徴とする。
【００１１】
このようにアタッチメント部材が締結部材により下枠部材に固定してあるので、かかる締結部材による締め付けを緩めることでアタッチメント部材を下枠部材から離脱させることができ、下レールの交換を容易に行うことができる。また、アタッチメント部材を下枠部材に固定することで、下レールの取り付けを容易に行うことができ、施工性を良好なものとすることができる。
【発明の効果】
【００１２】
本発明によれば、気密性を確保することができるとともに障子の開閉動作を良好なものとすることができ、メンテナンス作業を良好なものとすることができるという効果を奏する。
【図面の簡単な説明】
【００１３】
【図１】図１は、本発明の実施の形態である建具を室外側から見た場合を簡略的に示す外観図である。
【図２】図２は、本発明の実施の形態である建具の横断面図であり、一部を拡大して示している。
【図３】図３は、図１におけるＡ−Ａ線断面図であり、一部を拡大して示している。
【図４】図４は、図１におけるＢ−Ｂ線断面図であり、一部を拡大して示している。
【図５】図５は、下レールの構成を模式的に示す説明図である。
【発明を実施するための形態】
【００１４】
以下に添付図面を参照して、本発明に係る建具の好適な実施の形態について詳細に説明する。
【００１５】
図１〜図４は、それぞれ本発明の実施の形態である建具を示すものであり、図１は室外側から見た場合を簡略的に示す外観図、図２は横断面図、図３は図１におけるＡ−Ａ線断面図、図４は図１におけるＢ−Ｂ線断面図である。これら図２〜図４においては、それぞれ一部を拡大して示している。ここで例示する建具は、玄関に設置された引戸であり、基枠１０と、方立２０と、障子３０とを備えて構成してある。
【００１６】
基枠１０は、例えばアルミニウムの押し出し材である上枠部材１１、下枠部材１２及び左右一対の縦枠部材１３，１４を四周枠組みすることによって構成した矩形状を成すものである。左右一対の縦枠部材１３，１４のうち一方の縦枠部材（以下、右縦枠部材１３とも称する）は、建物躯体１の玄関開口２の右側開口縁部の室外側に上下方向に沿って延在するよう設けてある。その一方、他方の縦枠部材（以下、左縦枠部材１４とも称する）は、建物躯体１の室外側に上下方向に沿って延在するよう設けてある。これにより上枠部材１１は、その一部が上記玄関開口２の上側開口縁部の室外側に左右方向に沿って延在するよう設けてあり、下枠部材１２は、その一部が上記玄関開口２の下側開口縁部の室外側に左右方向に沿って延在するよう設けてある。ここで、本明細書においては、「右側」は建具を室外側から見た場合における右方を示し、「左側」は建具を室外側から見た場合における左方を示すものとして説明する。
【００１７】
方立２０は、図２にも示すように、建物躯体１の玄関開口２の左側開口縁部の室外側に上下方向に沿って延在するよう設けてある。この方立２０は、上枠部材１１の見付け方向中央域の室内側部位と下枠部材１２の見付け方向中央域の室内側部位とを連結するよう設けてある。かかる方立２０により基枠１０により形成される矩形状の開口は２つに分割され、開口部１０ａと引込部１０ｂとが形成される。
【００１８】
開口部１０ａは、方立２０と、上枠部材１１のうち方立２０よりも右側の部分と、右縦枠部材１３と、下枠部材１２のうち方立２０よりも右側の部分とにより形成される矩形状のものであり、建物躯体１の玄関開口２に対応している。つまり、方立２０は、上枠部材１１の一部、下枠部材１２の一部及び一方の縦枠部材１３とともに矩形状の開口部１０ａを構成している。
【００１９】
引込部１０ｂは、方立２０と、上枠部材１１のうち方立２０よりも左側の部分と、左縦枠部材１４と、下枠部材１２のうち方立２０よりも左側の部分とにより形成される矩形状のものである。かかる引込部１０ｂは、建物躯体１に取り付けた外壁面３により閉塞してある。
【００２０】
障子３０は、上フレーム部材３１、下フレーム部材３２及び左右一対の縦フレーム部材３３，３４を四周組みすることによって構成したフレーム枠の内部にパネル材３５を保持したもので、基枠１０の内部に装着可能な大きさに構成してある。
【００２１】
かかる障子３０の上フレーム部材３１には、該障子３０の見付け方向に沿って所定間隔毎に複数の戸車３１１が配設してある。これら戸車３１１は、図３に示すように、上枠部材１１に取り付けられた上レール１１１に載置してある。これにより障子３０は、上レール１１１に吊り下げられている。上レール１１１は、上枠部材１１の見付け方向全長に亘って延在するよう取り付けてある。
【００２２】
この図３における符号１１２及び１１３は、それぞれ上カバー部材及び保持部材である。上カバー部材１１２は、上枠部材１１の室外域を覆うものであり、障子３０の上フレーム部材３１の室外側面に接するモヘア１１４を有している。保持部材１１３は、上枠部材１１及び建物躯体１に取り付けてあり、障子３０の上フレーム部材３１の室内側面に摺接するゴム製の上側気密材１１５を有している。
【００２３】
このような障子３０は、戸車３１１が上レール１１１を転動することにより基枠１０に対して左右方向に沿ってスライドするものであり、上記開口部１０ａを開閉するものである。つまり、障子３０は、右方に向けてスライドすることで閉移動し、一方の縦フレーム部材（以下、右縦フレーム部材３３とも称する）が右縦枠部材１３に当接することで該開口部１０ａを閉塞するものである。このように開口部１０ａを閉塞する場合には、障子３０の他方の縦フレーム部材（以下、左縦フレーム部材３４とも称する）が方立２０の室外側に位置することになる（図２参照）。
【００２４】
上記障子３０の下フレーム部材３２には、図３に示すように、進入溝３２１が見付け方向全長に亘って形成してある。かかる進入溝３２１は、下枠部材１２に配設した後述する下レール４０を進入させるものである。ここで進入溝３２１の上下長さは、障子３０の寸法誤差や施工誤差を吸収するのに十分な大きさに予め調整してある。これにより、障子３０は、進入溝３２１に下レール４０が進入した状態で基枠１０に対してスライドするものである。
【００２５】
下レール４０は、第１下レール４１と第２下レール４２とを備えて構成してある。第１下レール４１は、開口部１０ａに対応しており、アタッチメント部材４３に一体的に形成してある。
【００２６】
アタッチメント部材４３は、例えばアルミニウムの押し出し材であり、下枠部材１２における開口部１０ａを形成する部位（開口部形成部位）１２１にビス等の締結部材５０により固定してある。かかるアタッチメント部材４３は、下枠部材１２の開口部形成部位１２１の見付け方向全長に亘って設けてあり、ゴム製の沓摺部材４４を装着するためのものである。このアタッチメント部材４３の室外側端部４３１より室外方向に沿って延在する室外延部４３２の延在端部より上方に向けて延在する部分が上記第１下レール４１である。
【００２７】
このようなアタッチメント部材４３においては、その室外側端部４３１に下側気密材４５が取り付けてある。下側気密材４５は、アタッチメント部材４３の見付け方向全長に亘って取り付けたゴム製部材であり、その先端が障子３０の下フレーム部材３２の室内側面に摺接するものである。尚、図３中の符号４６は、下カバー部材である。下カバー部材４６は、例えばステンレス等からなる板状体であり、第１下レール４１よりも室外側において下枠部材１２に取り付けてある。
【００２８】
第２下レール４２は、引込部１０ｂに対応しており、図４に示すように、下レール基部４７に一体的に形成してある。下レール基部４７は、例えばアルミニウムの押し出し材であり、下枠部材１２における引込部１０ｂを形成する部位（引込部形成部位）１２２にビス等の締結部材５０により固定してある。かかる下レール基部４７は、下枠部材１２における引込部形成部位１２２の見付け方向全長に亘って設けてある。この下レール基部４７の室外側端部より上方に向けて延在する部位が上記第２下レール４２である。
【００２９】
このような第１下レール４１と第２下レール４２とは、図５の（ａ）及び（ｂ）に示すように、アタッチメント部材４３の室外延部４３２の右端部に形成した凹部４３２１に、下レール基部４７の左端部に形成した凸部４７１を挿入させることで、左右方向に沿って一直線上に連結して下レール４０を構成している。
【００３０】
以上のような構成を有する本実施の形態である建具においては、第１下レール４１がアタッチメント部材４３に一体的に形成され、かつ下側気密材４５が上記アタッチメント部材４３に取り付けてあるので、第１下レール４１と下側気密材４５との設置寸法精度を十分に高いものとすることができる。そして、第１下レール４１は、障子３０の進入溝３２１に進入するので、基枠１０に対してスライドする障子３０が室内外方向に沿って変位する変位量を十分に規制することができる。これにより下側気密材４５が障子３０の下端部（下フレーム部材３２）の室内側面から離間したり、室内側面に過大に押圧することがない。しかも、アタッチメント部材４３を交換するだけで下側気密材４５も交換することができ、下側気密材４５のメンテナンス作業を容易なものとすることができる。
【００３１】
従って、本実施の形態である建具によれば、気密性を確保することができるとともに障子３０の開閉動作を良好なものとすることができ、メンテナンス作業を良好なものとすることができる。
【００３２】
上記建具においては、第１下レール４１と一体的に形成されたアタッチメント部材４３がビス等の締結部材５０により下枠部材１２に固定してあるので、かかる締結部材５０による締め付けを緩めることでアタッチメント部材４３を下枠部材１２から離脱させることができ、第１下レール４１の交換を容易に行うことができる。また、アタッチメント部材４３を下枠部材１２に固定することで、第１下レール４１の取り付けを容易に行うことができ、施工性を良好なものとすることができる。
【００３３】
また、ガイドローラを有する既存の建具に対して、下枠部材１２にアタッチメント部材４３を固定することで第１下レール４１を配設し、かつ必要に応じて進入溝３２１を有する障子３０に交換することで本実施の形態である建具とすることができ、この結果、互換性を良好なものとすることができる。
【００３４】
以上、本発明の好適な実施の形態について説明したが、本発明はこれに限定されるものではなく、種々の変更を行うことができる。
【００３５】
上述した実施の形態では、下レール４０は、第１下レール４１と第２下レール４２とが連結されて構成されるものであったが、本発明においては、下レール４０は、第１下レール４１のみによって構成されるものであってもよい。この場合、引込部形成部位１２２に対応する部分では、アタッチメント部材４３を取り除くことになる。これによっても上述した作用効果を奏することができる。
【００３６】
上述した実施の形態では、障子３０は、進入溝３２１に下レール４０が進入した状態で基枠１０に対してスライドするものとしたが、本発明では、障子の下部に設けた戸車が下レール上を転動することで基枠に対してスライドするものであっても良いし、あるいは障子の下部に設けた下レールの幅と略同じ大きさの幅を有する溝を備えた摺動片を下レールに摺動させて基枠に対してスライドするものであっても良い。
【００３７】
上述した実施の形態では、引込部１０ｂが建物躯体１の室外側に設けられるものであったが、本発明においては、引込部が建物躯体の室内側に設けられるものであってもよい。
【符号の説明】
【００３８】
１  建物躯体
２  玄関開口
３  外壁面
１０  基枠
１０ａ  開口部
１０ｂ  引込部
１１  上枠部材
１１１  上レール
１１２  上カバー部材
１１３  保持部材
１１５  上側気密材
１２  下枠部材
１２１  開口部形成部位
１２２  引込部形成部位
１３  縦枠部材（右縦枠部材）
１４  縦枠部材（左縦枠部材）
２０  方立
３０  障子
３１  上フレーム部材
３１１  戸車
３２  下フレーム部材
３２１  進入溝
３３  縦フレーム部材（右縦フレーム部材）
３４  縦フレーム部材（左縦フレーム部材）
３５  パネル材
４０  下レール
４１  第１下レール
４２  第２下レール
４３  アタッチメント部材
４３１  室外側端部
４３２  室外延部
４３２１  凹部
４４  沓摺部材
４５  下側気密材
４６  下カバー部材
４７  下レール基部
４７１  凸部
５０  締結部材
【図１】
2013028993.tif 000003
【図２】
2013028993.tif 000004
【図３】
2013028993.tif 000005
【図４】
2013028993.tif 000006
【図５】
2013028993.tif 000007